(57)【特許請求の範囲】
【請求項１】
雄形接合部材と、該雄形接合部材と接合される雌形接合部材とを用いるユニット住宅のユニット吊り上げ方法であって、
前記雄形接合部材が、吊り上げ手段との係止部と、被案内部とこの被案内部の後方に後端部が縮径された被挾持部とが形成された頭部を有する接合ピンと、前記雌形接合部材との接合を解除する解除手段とを有し、
前記雌形接合部材が、昇降自在かつ拡縮自在な前記被挾持部に対応させた挾持部が形成された挾持体を有し、
前記解除手段が、前記接合ピンの外周部に摺動自在に配設された先端部に解除部を有する円筒体とされ、
ユニットの角部上端に雌形接合部材を配設する手順と、
ユニットの角部上端に配設された雌形接合部材の挾持体に雄形接合部材の接合ピンを差し込み、その被挾持部を前記挾持体の挾持部に挾持させる手順と、
雄形接合部材の係止部を吊り上げ手段と係止させる手順と、
吊り上げ手段によりユニットを所定位置に設置する手順と、
解除手段により前記挾持体の挾持部による前記被挾持部の挾持が解除して、雄形接合部材と雌形接合部材との接合を解除する手順
とを含んでなることを特徴とするユニット住宅のユニット吊り上げ方法。
【請求項２】
ユニット住宅のユニットを吊り上げる際に用いる吊り金具であって、
雄形接合部材と、該雄形接合部材と接合される雌形接合部材とを備え、
前記雄形接合部材が、吊り上げ手段との係止部と、被案内部とこの被案内部の後方に後端部が縮径された被挾持部とが形成された頭部を有する接合ピンと、前記雌形接合部材との接合を解除する解除手段とを有し、
前記雌形接合部材が、昇降自在かつ拡縮自在な前記被挾持部に対応させた挾持部が形成された挾持体を有し、
前記解除手段が、前記接合ピンの外周部に摺動自在に配設された先端部に解除部を有する円筒体とされ、
前記頭部の被案内部が挾持体に当接すると、挾持体が降下しながらその口径を拡大して頭部を挾持体内部に導き入れ、ついで挾持体が上昇しながらその口径を縮小して被挾持部を挾持し、それにより前記雄形接合部材と前記雌形接合部材とが接合され、
前記解除部により前記挾持体が降下させられて同挾持体による前記被挾持部の挾持が解除され、それにより前記雄形接合部材と前記雌形接合部材との接合が解除される
ことを特徴とする吊り金具。
【発明の詳細な説明】
【０００１】
【発明の属する技術分野】
本発明はユニット住宅のユニット吊り上げ方法およびそれに用いる吊り金具に関する。さらに詳しくは、施工が簡素化されてなるユニット住宅のユニット吊り上げ方法およびそれに用いる吊り金具に関する。
【０００２】
【従来の技術】
プレハブ住宅の中にはボックス状のユニットを複数接合してなるユニット住宅という形式のものが知られている。従来、このユニット住宅におけるユニットの設置においては、図１０に示すように、ユニットの各角部の角パイプの上端の蓋フランジに雌ねじを形成してこれにＩボルト植設し、このＩボルトにワイヤロープに接続されたフックを係止し、ついで図１１に示すように、このワイヤロープをレッカーやクレーンで吊り上げ、その状態で所定位置まで移動させ、そして設置が完了すると上部ユニットの積み上げなどのために、角パイプの蓋フランジに植設されているＩボルトを取り外すという作業手順が採られている。
【０００３】
そのため、ユニット住宅のユニットの設置作業が煩雑になっているという問題がある。とりわけ、Ｉボルトの着脱はワイヤロープに接続されたフックを係止させた状態ではなし得ないので、Ｉボルトの着脱の際にはフックとの係止を解除した状態でなさなければならず、作業能率の低下を招来している。
【０００４】
【発明が解決しようとする課題】
本発明はかかる従来技術の課題に鑑みなされたものであって、ユニットの設置が簡易かつ効率的になし得るユニット住宅のユニット吊り上げ方法およびそれに用いる吊り金具を提供することを目的としている。
【０００５】
【課題を解決するための手段】
本発明のユニット住宅のユニット吊り上げ方法は、雄形接合部材と、該雄形接合部材と接合される雌形接合部材とを用いるユニット住宅のユニット吊り上げ方法であって、前記雄形接合部材が、吊り上げ手段との係止部と、被案内部とこの被案内部の後方に後端部が縮径された被挾持部とが形成された頭部を有する接合ピンと、前記雌形接合部材との接合を解除する解除手段とを有し、前記雌形接合部材が、昇降自在かつ拡縮自在な前記被挾持部に対応させた挾持部が形成された挾持体を有し、前記解除手段が、前記接合ピンの外周部に摺動自在に配設された先端部に解除部を有する円筒体とされ、ユニットの角部上端に雌形接合部材を配設する手順と、ユニットの角部上端に配設された雌形接合部材の挾持体に雄形接合部材の接合ピンを差し込み、その被挾持部を前記挾持体の挾持部に挾持させる手順と、雄形接合部材の係止部を吊り上げ手段と係止させる手順と、吊り上げ手段によりユニットを所定位置に設置する手順と、解除手段により前記挾持体の挾持部による前記被挾持部の挾持が解除して、雄形接合部材と雌形接合部材との接合を解除する手順とを含んでなることを特徴とする。
【０００６】
一方、本発明の吊り金具は、ユニット住宅のユニットを吊り上げる際に用いる吊り金具であって、雄形接合部材と、該雄形接合部材と接合される雌形接合部材とを備え、前記雄形接合部材が、吊り上げ手段との係止部と、被案内部とこの被案内部の後方に後端部が縮径された被挾持部とが形成された頭部を有する接合ピンと、前記雌形接合部材との接合を解除する解除手段とを有し、前記雌形接合部材が、昇降自在かつ拡縮自在な前記被挾持部に対応させた挾持部が形成された挾持体を有し、前記解除手段が、前記接合ピンの外周部に摺動自在に配設された先端部に解除部を有する円筒体とされ、前記頭部の被案内部が挾持体に当接すると、挾持体が降下しながらその口径を拡大して頭部を挾持体内部に導き入れ、ついで挾持体が上昇しながらその口径を縮小して被挾持部を挾持し、それにより前記雄形接合部材と前記雌形接合部材とが接合され、前記解除部により前記挾持体が降下させられて同挾持体による前記被挾持部の挾持が解除され、それにより前記雄形接合部材と前記雌形接合部材との接合が解除されることを特徴とする。
【０００９】
【作用】
本発明の吊り金具は前記のごとく構成されているので、雄形接合部材の接合ピンをユニットの角パイプの上端に配設されている雌形接合部材に差し込むだけでユニットに吊り金具が形成される。また、設置完了後は解除手段により接合ピンを回転させることなく雄形接合部材と雌形接合部材との接合を解除できる。そのため、フックを雄形接合部材に係止したままで作業がなし得るので、作業能率が向上する。
【００１０】
【発明の実施の形態】
以下、添付図面を参照しながら本発明を実施の形態に基づいて説明するが、本発明はかかる実施の形態のみに限定されるものではない。
【００１１】
本発明のユニット住宅のユニット吊り上げ方法に用いる吊り金具の一実施の形態を図１に縦断面図で示し、この吊り金具Ａは雌形接合部材１０と雄形接合部材２０とからなる。そして、この吊り金具Ａは、この雌形接合部材１０をユニットＵの各コーナの角柱（角パイプ）Ｃの上端部に配設し、これに雄形接合部材を接合してユニットの吊り上げに供するものである。
【００１２】
以下、雌形接合部材１０および雄形接合部材２０の構成について個別に説明する。
【００１３】
雌形接合部材
雌形接合部材１０は、中空構造の下部本体１２と、この下部本体１２の中空部に内臓されている中空構造のブロック体（挾持体）１４と、このブロック体１４の下方にあってそれを昇降自在としている昇降機構１６とを主要構成要素としてなる。
【００１４】
この下部本体１２は、図２に示すように、角パイプＣの外寸法と同一寸法とされている上端部の角形鍔部１２１と、この鍔部１２１の下面から角パイプＣの内寸法より若干小さな寸法で一体的に形成されている円柱状の胴部１２２とからなり、またその中央部には上面１２ａから下面１２ｂに貫通している中空部１２３が形成されている。
【００１５】
この中空部１２３は、同じく図２に示すように、上面１２ａから若干深さのすり鉢状に形成され、そのすり鉢状の下端から一体的に若干長さの円柱状に形成され、その円柱状の下端から一体的に円錐台状に形成され、その円錐台の下端から一体的に下面１２ｂまで円柱状に形成されている形状とされている。また、この下部の円柱状中空部に下面から所定深さ（所定長さ）で雌ねじ１２４が形成されている。
【００１６】
ブロック体１４は、図３に示すように、円錐台状の頭部１４１とこの頭部１４１の下端から一体的に形成されている円柱状の胴部１４２とからなり、またその中央部には上面１４ａから下面１４ｂに貫通している中空部１４３が形成されている。この頭部１４１は、図１に示すように、下部本体１２の円錐台状の中空部１２３内面に沿う形状とされている。また、この中空部１４３は、図３に示すように、上面１４ａから若干深さのすり鉢状に形成され、そのすり鉢状の下端から下面１４ｂまで一体的に円錐台状に形成されている形状とされている。
【００１７】
このブロック体１４は、また図４に示すように分割体１４Ａ，１４Ｂ，１４Ｃにより構成されている。そして、胴部１４２外周に形成された環状溝１４４に、図３に分離して示してあるコイルリング１５が装着され、その付勢力により内側方向に付勢されて一体化されている。このブロック体１４がかかる構成とされていることにより、その径の拡大・縮小が自在となる。
【００１８】
昇降機構１６は、図５に示すように円錐台状のコイルバネ１７を中心として、ブロック体１４の下面１４ｂに当接されるリング状のバネ受け１８と、このコイルバネ１７が下部本体１２から突出するのを規制しているバネ押さえ１９とからなる。このバネ押え１９は円板状とされ、そしてその外周に前記下部本体１２の中空部１２３に形成されている雌ねじ１２４と螺合する雄ねじ１９１が形成されている。また、このバネ押さえ１９の下面（外方に向いている面）１９ｂには、このバネ押さえを回転させる金具、例えばコインが係号される円弧状底面を有する溝１９２が所定長さで形成されている。
【００１９】
次に、かかる構成とされている雌形接合部材１０の組立てについて説明する。（１）下部本体下面１２ｂ側からその中空部１２３にブロック体１４をその頭部１４１から挿入する。
【００２０】
（２）ブロック体１４の頭部１４１が中空部１２３の円錐台状の内面に当接した状態でリング状のバネ受け１８を下部本体下面１２ｂ側からその中空部１２３に挿入し、先に挿入されているブロック体１４の下面１４ｂに当接させる。
【００２１】
（３）円錐台状のコイルバネ１７を下部本体下面１２ｂ側からその中空部１２３に上部側（小径側）から挿入する。
【００２２】
（４）バネ押さえ１９の上面１９ｂをバネ１７下部に当接し、バネ１７を押し込みながら下部本体１２の中空部１２３下部に形成されている雌ねじ１２４に螺合させる。これにより、雌形接合部材１０の組立てが完了する。
【００２３】
雄形接合部材
雄形接合部材２０は、接合ピン２２と、接合ピン２２の雌形接合部材１０との接合を解除する接合ピン２２に沿って配設されている解除治具２４と、ワイヤロープに接続されたフックとの係止部材２６とを主要構成要素としてなる。
【００２４】
接合ピン２２は、図６に示すように、接合頭部２２１とこの接合頭部２２１の端部から一体的に形成されている胴部２２２とからなる。また、頭部２２１は案内面が形成されている円錐台状の先端部（被案内部）２２３と、この円錐台状の先端部２２３の下底部から一体的に逆円錐台状に形成されている後端部（被挾持部）２２４とからなり、その後端部に胴部２２２の先端部が一体的に接合されて構成されている。この頭部２２１の後端部２２４は、前記雌形接合部材１０のブロック体１４の内部に形成されている円錐台状の中空部１４３に沿う形状とされている。一方、この胴部２２２の後端部には雄ねじ２２５が形成され、この雄ねじ２２５に係止部材が螺着され、また胴部２２２の適宜位置には鍔２３が接合されている。
【００２５】
この鍔２３は、図７に示すように中央部に透孔２３１が形成されるとともに、外周部の一部が対称に切除された円板とされ、そして胴部２２外周に対称に設けられた接合片２２６，２２６により胴部２２２と接合されている。この鍔２３の外周部に切欠きが設けられていることにより、雄形接合部材２０が床などに置かれた際に転がるのが防止される。
【００２６】
解除治具２４は、図８に示すように、円筒状の解除部２４１とこの解除部２４１の後端部に一体的に構成されている円板状の底部２４３を有する有底円筒体の操作部２４２とからなる。この操作部２４２の底部２４３は、操作性を考慮して円筒体２４２の直径より大きな直径のものとされ、またその中央部には接合ピン２２の胴部２２２に対応させた透孔２４４が形成されている。そして、この解除部２４１の内面は、この解除部２４１が接合解除のために雌形接合部材１０の本体１２の中空部１２３に進入した際に、雌形接合部材１０に接合されている接合ピン２２の頭部２２１の後端部２２４に沿うよう先広がりのテーパーが形成されている。また、この解除部２４１および操作部２４２には、この解除治具２４が前記接合ピン２２の胴部２２２と鍔２３の透孔２３１により形成される空間Ｓを摺動する際に、接合片２２６，２２６と干渉しないように、この接合片２２６，２２６に対応させて切欠き２４５，２４５が設けられている。
【００２７】
係止部材２６は、図９に示すように、接合ピン２２の胴部２２２の後端部に形成されている雄ねじ２２５に螺着される本体２６１と、この本体２６１に固着されている係止リング２６２とからなる。
【００２８】
次に、かかる構成とされている雄形接合部材２０の組立てについて説明する。
【００２９】
（１）接合ピン２２を解除治具２４を挿通する。
【００３０】
（２）接合ピン２２の胴部２２２後端部の雄ねじ２２５に係止部材２６を螺着する。これにより、雄形接合部材２０の組立てが完了する。
【００３１】
しかして、かかる構成とされている雌形接合部材１０をユニットＵの角パイプＣの上端部に配設して雄形接合部材２０の接合ピン２２を差し込むと、接合ピン２２の頭部２２１の円錐台状の先端部（被案内部）２２３が、雌形接合部材１０のブロック体１４のすり鉢状の案内部に当接し、ついで雌形接合部材１０のブロック体１４がコイルバネ１７の付勢力に抗して押し下げられる。この際、ブロック体１４はその径が拡大・縮小が自在とされているところから、ブロック体１４が押し広げられる。すなわち、ブロック体１４はその中空部１４３の口径が拡大しながら降下することになる。そのため、ブロック体１４がある程度降下すると、すり鉢状の案内部に当接している接合ピン２２の円錐台状の先端部２２３がすり鉢状の案内部から滑り落ちてブロック体１４の内部に進入する。ここで、接合ピン２２の頭部２２１の後端部２２４は逆円錐台状とされていること、およびブロック体１４がコイルバネ１７により上方に向けて付勢されていることから、今度は逆にブロック体１４が接合ピン２２の頭部２２１の後端部２２４に沿って下部本体１２の円錐台状の中空部１２３を上昇する。そのため、ブロック体１４が収縮し、接合ピン２２の頭部２２１の後端部（被挾持部）２２４を挾持する。すなわち、雄形接合部材２０と雌形接合部材１０とが離脱不能に接合される。
【００３２】
そして、この雄形接合部材２０の係止リング２６２にワイヤロープに接続されたフックを係止し、ついでこのワイヤロープをクレーンやレッカーで吊り上げユニットＵを所定位置に設置する。しかる後、解除治具２４を適宜手段により押し下げると、雌形接合部材１０のブロック体１４が降下されるとともに、その口径が拡大して接合ピン２２の頭部２２１の挾持が解除される。これにより、接合ピン２２を雌形接合部材１０から引き抜くことができる。
【００３３】
このように、本実施の形態においては、接合ピンを雌形接合部材に差し込むだけで接合がなされる。また、回転運動を伴うことなく接合ピンの接合を解除できるので、フックを係止リングに係止させた状態で接合ピンを引き抜くことができる。そのため、ユニットの設置が簡単かつ効率的になし得る。
【００３４】
【発明の効果】
以上詳述したように、本発明によればユニット住宅におけるユニットの設置が簡単かつ効率的になし得るという優れた効果が得られる。
【図面の簡単な説明】
【図１】本発明のユニット吊り上げ方法に用いる吊り金具の一実施の形態の縦断面図である。
【図２】同実施の形態における雌形接合部材の下部本体の縦断面図である。
【図３】同実施の形態における雌形接合部材のブロック体の縦断面図である。
【図４】同ブロック体の正面図である。
【図５】同実施の形態における雌形接合部材の昇降機構を分解して示す側面図である。
【図６】同実施の形態における雄形接合部材の一部を断面で示す側面図である。
【図７】図６のＶＩＩ−ＶＩＩ線断面図である。
【図８】同実施の形態における解除治具の半断面側面図である。
【図９】同実施の形態における係止部材の側面図である。
【図１０】従来のＩボルトを用いた吊り金具の側面図である。
【図１１】ユニットをクレーンで吊り上げている状態の説明図である。
【符号の説明】
１０                    雌形接合部材
１２                    下部本体
１４                    ブロック体
１４Ａ，１４Ｂ，１４Ｃ  分割体
１５                    コイルリング
１６                    昇降機構
１７                    コイルバネ
１８                    バネ受け
１９                    バネ押え
２０                    雄形接合部材
２２                    接合ピン
２４                    解除治具
２６                    係止部材
Ａ                    吊り金具
Ｕ                    ユニット
Ｃ                    角パイプ
Ｓ                    空間
【図１】
0003629570.tif 000002
【図２】
0003629570.tif 000003
【図３】
0003629570.tif 000004
【図４】
0003629570.tif 000005
【図５】
0003629570.tif 000006
【図６】
0003629570.tif 000007
【図７】
0003629570.tif 000008
【図８】
0003629570.tif 000009
【図９】
0003629570.tif 000010
【図１０】
0003629570.tif 000011
【図１１】
0003629570.tif 000012